(57)【特許請求の範囲】
【請求項１】
カーテンウォールを施工する施工階の階上から階下に亘り、建物の外周を養生する外周養生装置であって、
建物の内外方向に二列、かつ、外側が高い段違いとなるようにマルチトラスを組み合わせて構成され、施工階の階上に盛り替えられる作業足場と、
一端が外側のマルチトラスに吊り下げられたミニマルチフレームと、
前記ミニマルチフレームの他端に取り付けられた最下部養生ブラケットと、
前記最下部養生ブラケットに回動可能に取り付けられ、施工されたカーテンウォールを構成するマリオンにガイドされるマリオンガイドと、
ミニマルチフレームに張設された養生シートと、
外側のマルチトラスの下部に吊り下げられた走行レールと、
前記走行レールを走行し、施工階の内方から供給されたカーテンウォール構成部材を吊り下げるテルハクレーンと
を備えたことを特徴とする外周養生装置。
【請求項２】
施工階の階上に盛替えられた作業足場にミニマルチフレームを吊り下げるとともに、最下部養生ブラケットおよびマリオンガイドを介して施工されたカーテンウォールを構成するマリオンに前記ミニマルチフレームをガイドさせた後、
前記ミニマルチフレームに養生シートを張設することにより、施工階の階上から階下に亘り、建物の外周を養生するとともに、施工階の内方から供給されたカーテンウォール構成部材を作業足場から吊り下げ、
その後、既設のカーテンウォールと接続することにより、施工階の外周にカーテンウォールを構築し、
しかる後、前記ミニマルチフレームを吊り下げ、かつ、最下部養生ブラケットおよびマリオンガイドを介してマリオンにミニマルチフレームをガイドさせた状態のまま、前記作業足場を盛替えることを特徴とするカーテンウォールの施工方法。
【発明の詳細な説明】
【技術分野】
【０００１】
本発明は、高層ビルの外周養生に適した外周養生装置、および当該外周養生装置を用いたカーテンウォールの施工方法に関するものである。
【背景技術】
【０００２】
高層ビルの建設工事では、カーテンウォールの施工前であって外周が開放されている施工階から建築資材、工具等が落下しないように、施工階の外周に養生シートを張設することになっている。
【０００３】
養生シートは、一端が建方された鉄骨等に張設され、他端が施工階の階下等に張設されたもののほか、養生枠に張設されたものが知られており、養生枠に張設された養生シートは、養生枠とともに盛り替えられ、施工階の外周を養生するようになっている（たとえば、特許文献１および特許文献２参照）。
【０００４】
【特許文献１】特開平１０−３３１４３１号公報
【特許文献２】特開平１０−３１７６７９号公報
【発明の開示】
【発明が解決しようとする課題】
【０００５】
しかしながら、カーテンウォールは、既設のカーテンウォールに接続する態様で施工される場合には、施工階の外周を覆っている養生シートを捲り上げ、既設のカーテンウォールを露出させる必要があった。このように、養生シートを捲り上げ、既設のカーテンウォールを露出させると、養生シートを捲り上げた部分は開口し、落下養生が不十分な状態となる。
【０００６】
本発明は、上記に鑑みてなされたものであって、施工階の外周を覆っている養生シートを捲り上げることなく、既設のカーテンウォールに接続する態様で施工階の外周にカーテンウォールを施工することができる外周養生装置、および当該外周養生装置を用いたカーテンウォールの施工方法を提供することを目的とする。
【課題を解決するための手段】
【０００７】
上述した課題を解決し、目的を達成するために、本発明は、カーテンウォールを施工する施工階の階上から階下に亘り、建物の外周を養生する外周養生装置であって、建物の内外方向に二列、かつ、外側が高い段違いとなるようにマルチトラスを組み合わせて構成され、施工階の階上に盛り替えられる作業足場と、一端が外側のマルチトラスに吊り下げられたミニマルチフレームと、前記ミニマルチフレームの他端に取り付けられた最下部養生ブラケットと、前記最下部養生ブラケットに回動可能に取り付けられ、施工されたカーテンウォールを構成するマリオンにガイドされるマリオンガイドと、ミニマルチフレームに張設された養生シートと、外側のマルチトラスの下部に吊り下げられた走行レールと、前記走行レールを走行し、施工階の内方から供給されたカーテンウォール構成部材を吊り下げるテルハクレーンとを備えたことを特徴とする。
【０００９】
また、本発明は、施工階の階上に盛替えられた作業足場にミニマルチフレームを吊り下げるとともに、最下部養生ブラケットおよびマリオンガイドを介して施工されたカーテンウォールを構成するマリオンに前記ミニマルチフレームをガイドさせた後、前記ミニマルチフレームに養生シートを張設することにより、施工階の階上から階下に亘り、建物の外周を養生するとともに、施工階の内方から供給されたカーテンウォール構成部材を作業足場から吊り下げ、その後、既設のカーテンウォールと接続することにより、施工階の外周にカーテンウォールを構築し、しかる後、前記ミニマルチフレームを吊り下げ、かつ、最下部養生ブラケットおよびマリオンガイドを介してマリオンにミニマルチフレームをガイドさせた状態のまま、前記作業足場を盛替えることを特徴とする。
【発明の効果】
【００１０】
本発明にかかる外周養生装置は、養生シートが張設されたミニマルチフレームの一端が施工階の階上に盛り替えられた作業足場に吊り下げられ、他端が既設のカーテンウォールを構成するマリオンにガイドされるので、施工階の内方からカーテンウォール構成部材を供給し、カーテンウォールを施工すれば、既設のカーテンウォールに接続する態様で施工階の外周にカーテンウォールを施工する場合であっても、養生シートを捲り上げる必要がなく、十分な落下養生を維持できる。
【００１１】
また、本発明にかかる外周養生装置は、作業足場の下部に吊り下げた走行レールをテルハクレーンが走行し、施工階の内方から供給されたカーテンウォール構成部材を吊り下げるので、カーテンウォールを効率的に施工できる。
【００１２】
また、本発明にかかる外周養生装置を用いたカーテンウォールの施工方法は、施工階の階上から階下に亘り、建物の外周を養生するとともに、施工階の内方から供給されたカーテンウォール構成部材を階上に盛り替えられた作業足場から吊り下げ、その後、既設のカーテンウォールと接続することにより、施工階の外周にカーテンウォールを構築するので、十分な落下養生を維持した状態でカーテンウォールを効率的に施工できる。
【発明を実施するための最良の形態】
【００１３】
以下に、本発明にかかる外周養生装置および当該外周養生装置を用いたカーテンウォールの施工方法の実施の形態を図面に基づいて詳細に説明する。なお、この実施の形態によりこの発明が限定されるものではない。
【００１４】
図１は、本発明の実施の形態である外周養生装置を複数設置することにより、施工階の外周を養生した高層ビルの施工現場を示す概念図、図２は図１に示したカーテンウォールの要部拡大平断面図である。
【００１５】
本発明の実施の形態である外周養生装置１は、カーテンウォールを施工する施工階ｎＦＬの外周を養生するものであって、図１に示すように、大型ビルの施工階ｎＦＬの外周を養生する場合には、複数（図１に示す例では三つ）の外周養生装置１により養生するようになっている。
【００１６】
施工されたカーテンウォールＣＷは、所定の間隔でマリオン（開口部の間柱）Ｍを有している。図２に示すように、マリオンＭは、パネル（たとえば、ガラスパネル）ＰとともにカーテンウォールＣＷを構成するものであり、前面が開口したリップ溝Ｌを有している。このリップ溝Ｌは、高層ビル竣工後において、本設ゴンドラが昇降する際のガイドとして機能するようになっている。
【００１７】
図３は、一の外周養生装置の断面図であり、図４は、他の外周養生装置の断面図である。また、図５は、図３および図４に示したミニマルチフレームの吊下部を示す拡大図であり、図６は、図３および図４に示したミニマルチフレームの接続部を示す拡大図である。
【００１８】
図３および図４に示すように、外周養生装置１は、作業足場２とミニマルチフレーム３とを備えている。作業足場２は、施工階の階上（たとえば、二階層上となる階（ｎ＋２）ＦＬ）に設置（盛り替え）され、階上における鉄骨建方作業に供するとともに、階上の落下養生に供するようになっている。本実施の形態の外周養生装置１に用いられる作業足場２は、後述するテルハクレーン４の走行とメンテナンスを可能にするために、マルチトラス２１を幅方向に二列、かつ段違いとなるように組み合わせて構成してある。
【００１９】
また、作業足場２の高さは、階上における作業の内容、施工現場の特性によって任意に設定されており、たとえば、一の工区において外側に背の高い作業足場２を用いることとし（図３参照）、他の一の工区において外側に背の低い作業足場２を用いることとしている（図４参照）。
【００２０】
このように構成した作業足場２は、タワークレーン等の揚重機（図示せず）によって盛り替えられ、施工階ｎＦＬの階上（ｎ＋２）ＦＬに設置されるようになっている。具体的には、設置する階上階（施工階の二階層上の階）（ｎ＋２）ＦＬの床に固定された荷重ブラケット２２上に作業足場の内側となる足場２１ａが設置され、階上階の上の階（施工階の三階層上の階）（ｎ＋３）ＦＬの床と作業足場の外側となる足場２１ｂとの間を控えサポート２３により接続するようになっている。
【００２１】
また、上述した一の工区におけるように外側に背の高い足場２１ｂを用いる場合には、さらに上の階（施工階の四階層上の階）（ｎ＋４）ＦＬの床と作業足場２とをつなぎパイプ２４によって接続するようになっている。具体的には、つなぎパイプ２４の一端を上の階（ｎ＋４）ＦＬの床に固定するとともに、つなぎパイプ２４の他端をクランプ（図示せず）によって作業足場２の外側となる足場２１ｂに固定するようになっている（図３参照）。
【００２２】
作業足場２の外側となる足場２１ｂの下端には、全幅に亘って延在したＨ鋼２５が取り付けてある。Ｈ鋼２５は、ミニマルチフレーム３を吊り下げるためのもので、マリオンＭの間隔（より正確にはリップ溝Ｌの間隔）と同一の間隔でミニマルチフレーム３が吊り下げられるようになっている。
【００２３】
図５に示すように、ミニマルチフレーム３の上端には、ミニマルチ吊金物３１が取り付けてあり、Ｈ鋼２５には、長シャックル２６によって吊り下げられるようになっている。ミニマルチ吊金物３１は、両端に雄ネジが形成されたＵの字状を呈する金物であって、ミニマルチフレーム３に取り付けた場合に環状の吊下部を構成するようになっている。長シャックル２６は、Ｕの字状を呈するクラウンと、クラウンを挿通するボルトとからなる掛け金具であって、ボルトがＨ鋼２５に挿通するようになっている。このように、ミニマルチ吊金物３１と長シャックル２６とを組み合わせてＨ鋼２５にミニマルチフレーム３を吊り下げると、Ｈ鋼２５に対してミニマルチフレーム３をある程度自由に動かすことができるようになる。
【００２４】
ミニマルチフレーム３は、梯子状に形成した枠体であって、カーテンウォールＣＷの施工階ｎＦＬの開口を塞ぐに足りる長さ、すなわち、作業足場２から既設のカーテンウォールＣＷに重なる長さ(図３および図４に示す例では、二階層（ｎＦＬおよび（ｎ＋１）ＦＬ）に亘る開口を塞ぐに足りる長さ)を有している。
【００２５】
ミニマルチフレーム３の下端内側には、最下部養生ブラケット３２が取り付けてあり、最下部養生ブラケット３２の先端には、マリオンガイド３３が回動可能に取り付けてある。マリオンガイド３３は、カーテンウォールＣＷを構成するマリオンＭに形成されたリップ溝Ｌにガイドされ、作業足場を盛り替える際にもリップ溝から外れることはない。
【００２６】
マリオンガイド３３には、回転自在に取り付けられたローラ（図示せず）と、ソリ状に形成されたシューブロック（図示せず）とが取り付けてある。ローラとシューブロックとは、協働することにより、マリオンガイド３３がリップ溝内をスムーズにガイドされるようになっている。
【００２７】
このように、施工階ｎＦＬの階上に設置された作業足場２と、一端が作業足場２に吊り下げられ、他端が施工されたカーテンウォールＣＷを構成するマリオンＭにガイドされるミニマルチフレーム３とには、それぞれ養生シート４，５が張設してある。この結果、カーテンウォールＣＷの施工階ｎＦＬとその階上とは養生シート４，５によって養生されることになる。
【００２８】
また、作業足場２、より詳細には、作業足場２の外側となる足場２１ｂの下方には、チェーン６１とターンバックル６２とによって、Ｉビーム６３が吊り下げてある。Ｉビーム６３は、テルハクレーン６４の走行レールを構成するもので、一の外周養生装置１の走行レール（Ｉビーム）と他の外周養生装置１の走行レール（Ｉビーム６３）とは、ジョイント７（図１参照）によって接続可能となっている。
【００２９】
Ｉビーム６３には、テルハクレーン６４が走行可能に取り付けられており、施工階ｎＦＬの内方から供給されたカーテンウォール構成部材Ｃを吊り下げることができるようになっている。
【００３０】
上述した実施の形態である外周養生装置１を用いてカーテンウォールＣＷを施工する場合には、タワークレーン等の揚重機を用いることにより、カーテンウォールＣＷを施工する施工階ｎＦＬの外周をミニマルチフレーム３に張設された養生シート５が覆うように、作業足場２を盛り替える一方、工事用エレベータ等を用いることにより、施工階ｎＦＬにカーテンウォール構成部材Ｃを搬入する。
【００３１】
そして、盛り替えられた作業足場２に吊り下げられた走行レール（Ｉビーム６３）を走行するテルハクレーン６４を用いることにより、カーテンウォール構成部材Ｃを吊り下げ、既設のカーテンウォールＣＷに接続する態様で、施工階ｎＦＬにカーテンウォールＣＷを施工する。
【００３２】
施工階ｎＦＬの外周にカーテンウォールＣＷが施工されると、再び揚重機を用いることにより、新たにカーテンウォールＣＷを施工する施工階の外周をミニマルチフレーム３に張設された養生シート５が覆うように、作業足場２を盛り替えることになる。この時、ミニマルチフレーム３の一端は、作業足場２に吊り下げられ、ミニマルチフレーム３の他端は、最下部養生ブラケット３２およびマリオンガイド３３を介してマリオンＭ（リップ溝Ｌ）にガイドされた状態を維持することになる。また、走行レールを構成するＩビーム６３とテルハクレーン６４とは、作業足場２とともに盛り替えられることになるので、別途Ｉビーム６３を盛り替えたり、テルハクレーン６４を盛り替えたりする必要はない。
【００３３】
以後、作業足場２の盛り替えとカーテンウォールＣＷの施工を繰り返し、順次上階にカーテンウォールＣＷを施工することになる。
【００３４】
上述した実施の形態である外周養生装置１によれば、作業足場２を盛り替えることにより、ミニマルチフレーム３に張設された養生シート５が盛り替えられることになるので、別途養生シートを張設する必要がない。また、養生シート５が張設されたミニマルチフレーム３の一端が作業足場２に吊り下げられ、ミニマルチフレーム３の他端（マリオンガイド）が施工されたカーテンウォールＣＷを構成するマリオンＭにガイドされるので、施工階の内方からカーテンウォール構成部材Ｃを供給し、既設のカーテンウォールＣＷに接続する態様で、新たなカーテンウォールＣＷを施工することとすれば、養生シート５を捲り上げる必要がなく、十分な落下養生を維持できる。
【００３５】
また、作業足場２の下部に吊り下げた走行レール（Ｉビーム６３）をテルハクレーン６４が走行し、施工階ｎＦＬの内方から供給されたカーテンウォール構成部材Ｃを吊り下げるので、タワークレーンを用いてカーテンウォール構成部材Ｃを吊り下げる必要がなく、カーテンウォールＣＷを効率的に施工できる。
【００３６】
また、作業足場２を盛り替えれば、走行レール（Ｉビーム６３）およびテルハクレーン６４も盛り替えられるので、走行レールおよびテルハクレーンを別途盛り替える必要がなく、カーテンウォールＣＷを効率的に施工できることになる。
【００３７】
また、外周養生装置１を用いたカーテンウォールＣＷの施工方法は、施工階ｎＦＬの階上から階下に亘り、建物の外周を養生するとともに、施工階の内方から供給されたカーテンウォール構成部材Ｃを階上に盛り替えられた作業足場２から吊り下げ、その後、既設のカーテンウォールＣＷと接続することにより、施工階ｎＦＬの外周にカーテンウォールＣＷを構築するので、十分な落下養生を維持した状態でカーテンウォールＣＷを効率的に施工できる。
【図面の簡単な説明】
【００３８】
【図１】本発明の実施の形態である外周養生装置を複数設置することにより、施工階の外周を養生した高層ビルの施工現場を示す概念図である。
【図２】図１に示したカーテンウォールの要部拡大平断面図である。
【図３】一の外周養生装置の断面図である。
【図４】他の外周養生装置の断面図である。
【図５】図３および図４に示した外周養生枠の吊下部を示す拡大図である。
【図６】図３および図４に示した外周養生枠の接続部を示す拡大図である。
【符号の説明】
【００３９】
１    外周養生装置
２    作業足場
３    ミニマルチフレーム
４，５    養生シート
７    ジョイント
２１    マルチトラス
２１ａ    足場
２１ｂ    足場
２２    荷重ブラケット
２３    サポート
２４    つなぎパイプ
２５    Ｈ鋼
２６    長シャックル
３１    ミニマルチ吊金物
３２    最下部養生ブラケット
３３    マリオンガイド
６１    チェーン
６２    ターンバックル
６３    Ｉビーム
６４    テルハクレーン
ＣＷ    カーテンウォール
Ｃ    カーテンウォール構成部材
Ｍ    マリオン
Ｌ    リップ溝
ｎＦＬ    施工階
【図１】
0005181275.tif 000002
【図２】
0005181275.tif 000003
【図３】
0005181275.tif 000004
【図４】
0005181275.tif 000005
【図５】
0005181275.tif 000006
【図６】
0005181275.tif 000007